(57)【要約】【課題】  壁パネルへの傷付き防止とフロアパンの水密性の確保を同時に満足しつつ、フロアパンの製造や壁パネルとの連結構造等を簡素にして安価に形成し得る衛生設備ユニットのフロア構造を提供する。【解決手段】  フロアパンの外周端部でフロア面と同一かもしくは低い位置に設けられ壁パネルの下端部が載置される壁載せ部と、フロアパンの外周端部でフロア面上に立ち上げ形成され壁載せ部に壁パネルの下端部を載置した際に、該壁パネルの下端部の室内側に位置する立ち上げ壁と、を備える。壁載せ部と立ち上げ壁はフロアパンに一体成形により形成され、壁載せ部は断面略コ字状の樋形状に形成される。【選択図】  図３
2005213970.tif 000002
【特許請求の範囲】
【請求項１】
フロアパンの外周端部でフロア面と略同一かもしくは低い位置に設けられ壁パネルの下端部が載置される壁載せ部と、フロアパンの外周端部でフロア面上に立ち上げ形成され前記壁載せ部に壁パネルの下端部を載置した際に、該壁パネルの下端部の室内側に位置する立ち上げ壁と、を備えることを特徴とする衛生設備ユニットのフロア構造。
【請求項２】
前記壁載せ部と立ち上げ壁は、フロアパンに一体形成されていることを特徴とする請求項１に記載の衛生設備ユニットのフロア構造。
【請求項３】
前記壁載せ部は、フロアパンの立ち上げ壁の下部に、水平方向外側に略Ｌ字形状に突出した水平壁部を有して断面略コ字状に形成されていることを特徴とする請求項１または２に記載の衛生設備ユニットのフロア構造。
【請求項４】
前記立ち上げ壁は、切り欠き可能に形成されて所定位置にドア用開口部が設けられることを特徴とする請求項１ないし３のいずれかに記載の衛生設備ユニットのフロア構造。
【請求項５】
前記フロアパンは、２分割構造とされ、両フロアパンの接合端部を除く外周端部に前記壁載せ部と立ち上げ壁がそれぞれ形成されていることを特徴とする請求項１ないし４のいずれかに記載の衛生設備ユニットのフロア構造。
【請求項６】
前記２分割されたフロアパンは、設置高さの異なる脱衣場側フロアパンと洗濯機側フロアパンとで形成され、低い位置に配置される洗濯機側フロアパンの接合端部に設けた突条の上端部に、高い位置に配置される脱衣場側フロアパンの接合端部がシール手段を介して載置されることを特徴とする請求項５に記載の衛生設備ユニットのフロア構造。
【発明の詳細な説明】
【技術分野】
【０００１】
本発明は、洗面室ユニット等の衛生設備ユニットに係わり、特にフロア面の外周端部に壁載せ部を有するフロア構造に関する。
【背景技術】
【０００２】
従来、洗面室ユニットの床面を形成するフロアパンとしては、図８もしくは図９に示すものが知られている。すなわち、図８に示すフロアパン１０１は、フロア面１０１ａの外周端部に立ち上げ部１０２を形成することにより、その上面に壁載せ面１０３を一体的に設け、この壁載せ面１０３上に基材１０４ａと表面材１０４ｂ等を有する壁パネル１０４の下端部を載置するようにしたものである。
【０００３】
また、図９に示すフロアパン１１１は、フロア面１１１ａの外周端部に鋼材１１２ａと壁載せ部材１１２ｂからなる架台１１２を固定状態で配置すると共に、この架台１１２の壁載せ部材１１２ｂの上面に設けた壁載せ面１１３上に壁パネル１０４の下端部を載置するようにしたものであり、このようなフロアパン１１１としては、例えば特許文献１に開示されている。
【特許文献１】特開２０００−２９７４４９号公報
【発明の開示】
【発明が解決しようとする課題】
【０００４】
しかしながら、これらのフロアパン１０１、１１１にあっては、フロア面１０１ａ、１１１ａの清掃の際に、掃除機等が壁パネル１０４の下端部内面に当接して壁パネル１０４の表面材１０４ｂを傷付けたり、あるいはフロア面１０１ａ、１１１ａと壁パネル１０４の接合部から水が外部に漏出することのないように、つまり壁パネル１０４への傷付き防止とフロアパン１０１、１１１の水密性の確保を目的として、壁載せ面１０３、１１３をフロア面１０１ａ、１１１ａより高い位置に設定している。
【０００５】
そのため、フロア面１０１ａ、１１１ａの外周端部に例えばドア設置用の開口を設ける場合、図８に示すフロアパン１０１の場合には、その立ち上げ部１０２を切断してドア設置用の切り欠きを設けることによって、また、図９に示すフロアパン１１１の場合には、ドア用開口部を設けることができるような状態で壁載せ部材１１２ｂを架台１１２の所定位置に取り付けることによって行っており、フロアパン１０１、１１１の製造、組み立てが面倒になるという問題点を有している。
【０００６】
本発明は、このような事情に鑑みてなされたもので、その目的は、壁パネルへの傷付き防止とフロアパンの水密性の確保を同時に満足しつつ、フロアパンの製造等を簡素にして安価に形成し得る衛生設備ユニットのフロア構造を提供することにある。また、他の目的は、前記目的に加え、２分割された脱衣場側フロアパンと洗濯機側フロアパンの、左右方向における設置を容易に行い得る衛生設備ユニットのフロア構造を提供することにある。
【課題を解決するための手段】
【０００７】
かかる目的を達成すべく、本発明のうち請求項１に記載の発明は、フロアパンの外周端部でフロア面と同一かもしくは低い位置に設けられ壁パネルの下端部が載置される壁載せ部と、フロアパンの外周端部でフロア面上に立ち上げ形成され前記壁載せ部に壁パネルの下端部を載置した際に、該壁パネルの下端部の室内側に位置する立ち上げ壁と、を備えることを特徴とする。
【０００８】
そして、前記壁載せ部と立ち上げ壁は、請求項２に記載の発明のように、フロアパンに一体形成されていることが好ましく、また、前記壁載せ部は、請求項３に記載の発明のように、フロアパンの立ち上げ壁の下部に、水平方向外側に略Ｌ字形状に突出形成された水平壁部を有して断面略コ字状に形成されていることが好ましい。また、前記立ち上げ壁は、請求項４に記載の発明のように、切り欠き可能に形成されて所定位置にドア用開口部等が設けられることが好ましい。
【０００９】
また、前記フロアパンは、請求項５に記載の発明のように、２分割構造とされ、両フロアパンの接合端部を除く外周端部に前記壁載せ部と立ち上げ壁がそれぞれ形成されていることが好ましく、この場合、前記２分割されたフロアパンは、請求項６に記載の発明のように、設置高さの異なる脱衣場側フロアパンと洗濯機側フロアパンとで形成され、低い位置に配置される洗濯機側フロアパンの接合端部に設けた突条の上端部に、高い位置に配置される脱衣場側フロアパンの接合端部がシール手段を介して載置されることが好ましい。
【発明の効果】
【００１０】
本発明の請求項１に記載の発明によれば、フロアパンの外周端部に設けた壁載せ部に壁パネルの下端部を載置した際に、フロア面の外周端部に立ち上げ形成された立ち上げ壁が壁パネルの下端部の室内側に位置するため、立ち上げ壁により、掃除機等の接触による壁パネルへの傷付き防止が図れると共に、外部への水漏れが防止されてフロアパンの水密性を確保することができ、かつ、その構造を簡素化することができる。
【００１１】
また、請求項２に記載の発明によれば、請求項１に記載の発明の効果に加え、壁載せ部と立ち上げ壁がフロアパンに一体形成されているため、フロアパンの製造が容易となって、安価なフロアパンを得ることができる。
【００１２】
また、請求項３に記載の発明によれば、請求項１または２に記載の発明の効果に加え、壁載せ部が水平壁部によって断面略コ字状に形成されているため、壁パネルの下端部を壁載せ部上にその移動が規制された状態で確実に載置することができて、壁パネルの載置状態を安定させることができる。
【００１３】
また、請求項４に記載の発明によれば、請求項１ないし３に記載の発明の効果に加え、立ち上げ壁が切り欠き可能に形成されているため、立ち上げ壁のドアを取り付ける所定位置にドア用開口部を簡単に形成することができて、施工現場に応じた各種バリエーションの衛生設備ユニットに的確に対応することができる。
【００１４】
また、請求項５に記載の発明によれば、請求項１ないし４に記載の発明の効果に加え、フロアパンが２分割構造とされ、両フロアパンの接合端部を除く外周端部に壁載せ部と立ち上げ壁がそれぞれ形成されているため、２分割されたフロアパンの左右方向の配置を逆にした場合でも、４辺の外周端部に壁載せ部と立ち上げ壁をそれぞれ位置させることができて、各種バリエーションの衛生設備ユニットに一層的確に対応することができる。
【００１５】
さらに、請求項６に記載の発明によれば、２分割されたフロアパンが設置高さの異なる脱衣場側フロアパンと洗濯機側フロアパンとで形成され、高さの低い洗濯機側フロアパンの接合端部の突条上端部に、高さの高い脱衣場側フロアパンの接合端部がシール手段を介し載置されて連結されるため、高さの低い洗濯機側フロアパンに設けた突条によって該フロアパン上の水の外部への漏れが確実に防止されると共に、両フロアパンの接合端部がシール手段によっても止水され、２分割されたフロアパンに十分な水密性を確保することができる。
【発明を実施するための最良の形態】
【００１６】
以下、本発明を実施するための最良の形態を図面に基づいて詳細に説明する。
図１〜図７は、本発明に係わるフロア構造を洗面室ユニットに適用した場合の一実施形態を示し、図１が該洗面室ユニットの内部斜視図、図２がそのフロアパンの斜視図、図３がフロアパンと壁パネルの設置状態の破断斜視図、図４がその壁パネル設置部分の拡大断面図、図５が図３のＡ部の拡大断面図、図６がドア用開口部の形成方法の説明図、図７がフロアパンの設置方法の説明図である。
【００１７】
図１において、洗面室ユニット１は、床面を形成するフロアパン２と、このフロアパン２の外周端部にそれぞれ立設された壁パネル３と、壁パネル３の上部に配置された天井パネル４等によって箱形状に形成され、所定の壁パネル３には、図示しない浴室ユニットへの出入用のドア５や洗面室ユニット１への出入用の図示しないドア等が設けられている。
【００１８】
前記フロアパン２は、２分割構成とされて、例えば浴室ユニット側（ドア５側）に洗濯機側フロアパン２Ａ（以下、フロアパン２Ａという）が設けられると共に、反浴室ユニット側に脱衣場側フロアパン２Ｂ（以下、フロアパン２Ｂという）が設けられている。そして、フロアパン２Ａの上面で壁パネル３ａ側には洗濯機６が設置され、フロアパン２Ｂの上面で壁パネル３ａ側には洗面ボール８やミラー９等を有する洗面化粧台７が設置されている。なお、前記フロアパン２Ａは、壁パネル３ａ側に設けられ洗濯機６が載置される洗濯機設置部１０と、この洗濯機設置部１０の前方に着脱可能に配置された一対の簀の子状の床部材１１ａ、１１ｂ等によって、その上面が前記フロアパン２Ｂの上面と略面一状態に設定されている。
【００１９】
また、前記フロアパン２Ａ、２Ｂは、図２に示すように、樹脂成形品によってそれぞれ略平板状に形成され、各フロアパン２Ａ、２Ｂの下面には高さ調整用のアジャスタボルトを有する複数の脚１２が設けられている。さらに、フロアパン２Ａには、その長手方向の一端側に前記洗濯機設置部１０が設けられると共に他端側に点検蓋１４が着脱可能に装着される床下点検口１３が設けられている。
【００２０】
そして、フロアパン２Ａ、２Ｂの外周端部を形成する各フロアパンの接合端部Ｓａ、Ｓｂを除く３辺には、壁載せ部１６と立ち上げ壁１７がそれぞれ一体形成されている。すなわち、図３に示すように、フロアパン２Ａの壁載せ部１６は、フロア面２ａの接合端部Ｓａを除く３辺の外周端部に垂直方向に立設された立ち上げ壁１７の下端部に、水平方向外側に延設された断面略Ｌ字形状の水平壁部１６ｂを有し、この水平壁部１６ｂと立ち上げ壁１７の下端部外面とで断面略コ字状の樋形状に形成されている。
【００２１】
また、フロアパン２Ｂの壁載せ部１６は、フロア面２ｂの接合端部Ｓｂを除く３辺の外周端部に下方に垂直に延設された垂直壁部１６ａと、この垂直壁部１６ａの下端に水平方向外側に延設された断面略Ｌ字形状の水平壁部１６ｂとで断面コ字状の樋形状に形成され、垂直壁部１６ａの上方に、立ち上げ壁１７が垂直方向に延設された状態で一体形成されている。
【００２２】
すなわち、両フロアパン２Ａ、２Ｂは、その壁載せ部１６の水平壁部１６ｂに形成される平坦な壁載置面１６ｃが同一高さ位置に形成されるものの、両フロアパン２Ａ、２Ｂの立ち上げ壁１７のフロア面２ａ、２ｂからの高さがそれぞれ異なり、フロアパン２Ｂの壁載せ部１６は垂直壁部１６ａを有し、フロアパン２Ａの壁載せ部１６は垂直壁部１６ａを有さない形状となっている。この両フロアパン２Ａ、２Ｂの立ち上げ壁１７によって、各フロアパン２Ａ、２Ｂのフロア面２ａ、２ｂが洗面室ユニット１の内外において隔壁されて、フロア面２ａ、２ｂに後述する如く水密性が確保されると共に、壁パネル３の下端部がフロア面２ａ、２ｂ側から保護されることになる。
【００２３】
さらに、前記フロアパン２Ａは、図３及び図５に示すように、その接合端部Ｓａに、長手方向の全域に亘ってフロア面２ａから上方に垂直状態で立設された突条１８を有し、この突条１８の上面にゴム、パッキン等のシール手段１９を介してフロアパン２Ｂの接合端部Ｓｂが載置されている。また、フロアパン２Ｂの接合端部Ｓｂには、その長手方向に沿って下方に突出した複数本のボス２０（もしくは１本の突条）とリブ２４ａ、２４ｂが形成され、ボス２０がフロアパン２Ａの接合端部Ｓａに前記壁載せ部１６と略同一形状に一体形成された断面略コ字状の接合凹部２１内に位置している。
【００２４】
そして、フロアパン２Ａの下面からネジ２２をボス２０にねじ込むことによって、フロアパン２Ａとフロアパン２Ｂが連結固定されている。この両フロアパン２Ａ、２Ｂが突条１８を介して連結されることにより、フロアパン２Ａからフロアパン２Ｂ下方への水の漏出が確実に阻止されると共に、シール手段１９により、フロアパン２Ｂ上から流下する水のフロアパン２Ａ外部等への漏出が防止されることになる。また、フロアパン２Ｂのリブ２４ａ、２４ｂ間の寸法が接合凹部２１の幅寸法に対応するよう設定されており、ボス２０と接合凹部２１（すなわちフロアパン２Ａ、２Ｂの接合端部Ｓａ、Ｓｂ）が位置決めされて、両フロアパン２Ａ、２Ｂに安定した連結状態が得られることになる。
【００２５】
なお、フロアパン２Ａの接合端部Ｓａの接合凹部２１と突条１８は、該フロアパン２Ａの接合端部Ｓａを除く３辺に設けられる壁載せ部１６と立ち上げ壁１７のうち、立ち上げ部１７の高さを低く設定することにより形成している。この接合凹部２１と突条１８は、フロアパン２Ａの成形と同時に形成しても良いし、あるいはフロアパン２Ａの４辺の外周端部に同一形状の壁載せ部１６と立ち上げ壁１７をそれぞれ一体形成した後に、接合端部Ｓａの立ち上げ壁１７を所定高さ位置でカットすることにより形成することもできる。また、前記フロアパン２Ｂの接合端部に設けられる位置決めと補強兼用のリブ２４ａ、２４ｂは、２条必ずしも必要ではなく、どちらか一方のリブとしても良い。
【００２６】
このように構成されたフロアパン２Ａ、２Ｂからなるフロアパン２の外周端部には、基材３ｂと下端面が屈曲された表面材３ｃ等によって形成された壁パネル３の下端部が、壁載せ部１６の載置面１６ｃに載置された状態で設置される。この時、壁載せ部１６が断面コ字状に形成されると共に、図４に示すように、壁載せ部１６の幅を壁パネル３の板厚と略同一もしくは若干小さく設定することで、壁パネル３の下端部が樋形状の壁載せ部１６内に位置決めされつつ載置されて、壁パネル３の下端部のフロアパン２に対する移動が規制された状態となる。
【００２７】
また、前記ドア５が取り付けられるフロアパン２の立ち上げ壁１７は、図６に示すように、ドア取付位置がカット（切り欠き）されてドア用開口部２３が設けられ、このドア用開口部２３を利用してドア５等が取り付けられる。この時、フロアパン２Ｂ側にドア５を取り付ける場合は、図６（ａ）に示すようにその立ち上げ壁１７の全体をカットし、フロアパン２Ａ側にドア５を取り付ける場合は、図６（ｂ）に示すようにその立ち上げ壁１７をフロアパン２Ｂのフロア面２ｂと同一高さとなる位置までカットする。
【００２８】
このように前記立ち上げ壁１７は、樹脂成形された後に製造工場等で施工現場の状況に応じてカットされることから、その材質や板厚等はカット可能な構造が採用される。また、ドア用開口部２３が形成される複数の位置に、例えば予め切り欠き用の目印を設けることにより、カット作業を容易に行うように構成することもできる。
【００２９】
次に、このフロアパン２の設置方法の一例について説明する。先ず、図２に示すように、接合端部Ｓａ、Ｓｂを除く３辺に壁載せ部１６と立ち上げ壁１７をそれぞれ有するフロアパン２Ａ、２Ｂを樹脂成形し、この両フロアパン２Ａ、２Ｂの接合端部Ｓａ、Ｓｂを前記ネジ２２の固定により連結させ、洗面室ユニット１の設置場所に脚１２で高さ調整しつつ設置する。この時、両フロアパン２Ａ、２Ｂのドア取付位置の立ち上げ壁１７は、前述した方法でカットすることにより、予めドア用開口部２３を設けた状態とする。
【００３０】
そして、この状態でフロアパン２Ａ、２Ｂの各壁載せ部１６に壁パネル３を順に載置して隣接する壁パネル３同士を幅方向に連結し、フロアパン２の外周端部全域に壁パネル３を載置する。この時、前述したように、壁パネル３の下端部が断面コ字状の壁載せ部１６で位置決めされつつ載置され、載置作業自体が容易に行えると共に、設置後の壁パネル３下端部の壁載せ部１６内からの脱落等が確実に防止されて安定した載置状態が得られる。壁パネル３を壁載せ部１６に載置したら、次に立ち上げ壁１７のドア用開口部２３を設けた位置にドア５を取り付け、必要に応じて立ち上げ壁１７の上端部と壁パネル３の内面間にシリコン等のシーリング処理を施すこと等により、フロアパン２上に壁パネル３を設置する。
【００３１】
なお、２種類のフロアパン２Ａを用意することにより、洗濯機６の設置位置の変更に図７（ａ）に示す設置形態と図７（ｂ）に示す設置形態のいずれかで対応することができる。更には、フロアパン２Ａの形状として４辺の外周端部に立ち上げ壁１７を設け、幅方向のいずれか一方の立ち上げ壁１７を切り欠くことで突条１８を形成する前述した構成を採用することにより、１種類のフロアパン２Ａによって、図７（ａ）（ｂ）に示す洗濯機６の設置位置の変更に対応することが可能となる。また、ドア５の取付位置も、ドの変更にア用開口部２３が立ち上げ壁１７を施工現場に応じて後加工で切り欠くことによって形成できることから、各種のバリエーションに容易に対応できることになる。
【００３２】
このように、上記実施形態のフロアパン２にあっては、分割形成された各フロアパン２Ａ、２Ｂの外周端部に壁パネル３の下端部が載置される壁載せ部１６と、該壁載せ部１６に壁パネル３を載置した際に壁パネル３の下端部内面を保護する立ち上げ壁７が設けられているため、フロアパン２の特に壁パネル３側の隅部を掃除機等で清掃する場合に、掃除機等がフロアパン２Ａ、２Ｂの立ち上げ壁１７に当接して壁パネル３に直接当接することがなくなると共に、フロアパン２上に洗濯機６や洗面化粧台７を設置する際に、立ち上げ壁１７が保護壁として機能することになり、壁パネル３への傷付きを確実に防止することができる。
【００３３】
また、２分割されたフロアパン２Ａ、２Ｂのうち、フロア面２ａが低い洗濯機側のフロアパン２Ａの接合端部Ｓａに突条１８が形成され、この突条１８の上端部にフロア面２ａが高い脱衣場側のフロアパン２Ｂの接合端部Ｓｂがシール手段１９を介して設置されるため、フロア面２ａより上方に立ち上がった立ち上げ壁１７により、フロア面２ａ上から外部（フロアパン２Ａ外）への水漏れが確実に阻止されると共に、両フロアパン２Ａ、２Ｂの接合端部Ｓａ、Ｓｂがシール手段１９によっても止水されるため、フロアパン２Ａとフロアパン２Ｂとの間に十分な水密性を確保することができる。
【００３４】
また、フロアパン２Ａ、２Ｂの外周端部に、壁載せ部１６と立ち上げ壁１７が樹脂成形により一体形成されているため、壁載せ部１６等を有するフロアパン２Ａ、２Ｂを簡単に製造することができて、安価なフロアパン２を得ることができる。
【００３５】
また、壁載せ部１６が水平壁部１６ｂと垂直壁部１６ａや立ち上げ壁１７の下端とによって断面略コ字状の樋形状に形成されているため、壁パネル３の下端部を壁載せ部１６の載置面１６ｃ上に載置した際に、従来の室内側に開放された壁載せ面１０３、１１３上に載置する場合に生じ易い壁パネル３の下端部のずれ等を確実に阻止することができて、フロアパン２に対する壁パネル３の設置作業を簡単に行うことができると共に、壁パネル３とフロアパン２との間に長期に亘り安定した設置状態を得ることができる。
【００３６】
また、立ち上げ壁１７が切り欠き可能な材質や板厚に形成されているため、立ち上げ壁１７のドア５を取り付ける所定位置にドア用開口部２３を簡単に形成することができて、各種バリエーションの衛生設備ユニット１に的確に対応することができる。特に、フロアパン２Ａの４辺全域に壁載せ部１６と立ち上げ壁１７を設けるようにすれば、フロアパン２Ａを各種バリエーションの洗面室ユニット１に適用できて、その汎用性を一層向上させることができる。
【００３７】
またさらに、フロアパン２の外周端部に樋形状の壁載せ部１６が形成され、この壁載せ部１６に壁パネル３の下端部が載置されるため、例えば壁載せ部１６の所定位置に排水路を連結することにより、例えば壁パネル３の外面に生成された結露等の水滴を下方に流下させて壁載せ部１６で回収して外部に排水することができる等、断面略コ字状の壁載せ部１６を排水路として兼用することも可能となる。
【００３８】
なお、上記実施形態においては、フロアパン２を洗濯機側と脱衣場側のフロアパン２Ａ、２Ｂに２分割構成としたが、本発明はこれに限定されず、例えば３分割以上や１枚ものに構成しても良い。また、上記実施形態における、フロアパン２自体の形状や壁載せ部１６の形状、立ち上げ壁１７の高さ寸法、両フロアパン２Ａ、２Ｂの接合構造等も一例であって、本発明の各発明に係わる要旨を逸脱しない範囲において適宜に変更することができる。
【産業上の利用可能性】
【００３９】
本発明は、洗面室ユニットに限らず、浴室ユニットやトイレユニット、シャワーユニット等の各種衛生設備ユニットにも適用できる。
【図面の簡単な説明】
【００４０】
【図１】本発明に係わるフロア構造を適用した洗面室ユニットの内部斜視図
【図２】同そのフロアパンの斜視図
【図３】同フロアパンと壁パネルの設置状態の破断斜視図
【図４】同その壁パネル設置部分の拡大断面図
【図５】同図３のＡ部の拡大断面図
【図６】同ドア用開口部の形成方法の説明図
【図７】同フロアパンの設置方法の説明図
【図８】従来のフロア構造の断面図
【図９】従来の他のフロア構造の断面図
【符号の説明】
【００４１】
１・・・洗面室ユニット、２・・・フロアパン、２Ａ・・・洗濯機側フロアパン、２ａフロア面、２Ｂ・・・脱衣場側フロアパン、２ｂ・・・フロア面、３、３ａ・・・壁パネル、６・・・洗濯機、７・・・洗面化粧台、１６・・・壁載せ部、１６ａ・・・垂直壁部、１６ｂ・・・水平壁部、１６ｃ・・・載置面、１７・・・立ち上げ壁、１８・・・突条、１９・・・シール手段、２０・・・ボス、２１・・・接合凹部、２３・・・ドア用開口部。
【図１】
2005213970.tif 000003
【図２】
2005213970.tif 000004
【図３】
2005213970.tif 000005
【図４】
2005213970.tif 000006
【図５】
2005213970.tif 000007
【図６】
2005213970.tif 000008
【図７】
2005213970.tif 000009
【図８】
2005213970.tif 000010
【図９】
2005213970.tif 000011